(57)【特許請求の範囲】
【請求項１】
天井に装着されて、収納家具を吊下げる吊下げ装置であって、
前記収納家具を防振するための防振部と、前記防振部に固定された状態で前記収納家具を着脱可能に連結する連結部と、を有する吊下げ部材を備えることを特徴とする吊下げ装置。
【請求項２】
前記連結部は、前記収納家具に固定される連結ロッドを介して前記収納家具と着脱可能に連結することを特徴とする請求項１に記載の吊下げ装置。
【請求項３】
前記天井は、支持部材と、前記支持部材に吊下げられた天井板と、を有し、
前記防振部は前記支持部材に固定され、前記連結部は、前記天井板から突出した状態で、前記防振部と接続することを特徴とする請求項１または２に記載の吊下げ装置。
【請求項４】
前記吊下げ部材は、所定の間隔で、かつ平行に縦横に延びる複数の仮想直線の交点の位置に配置されることを特徴とする請求項１〜３のいずれか１項に記載の吊下げ装置。
【請求項５】
前記天井は、所定の間隔で平行に配置される複数のハンガーレールを有し、
前記吊下げ部材は、前記ハンガーレールに沿ってスライド可能に連結することを特徴とする請求項１または２に記載の吊下げ装置。
【請求項６】
前記収納家具は、変位拘束部材を介して前記連結部と着脱可能に連結し、
前記変位拘束部材は、環状に設けられた側板と、前記側板に外縁端が接触するダイヤフラム板と、を有し、
前記側板と、前記ダイヤフラム板は協働して前記収納家具の側方変位及び回転変位を拘束することを特徴とする請求項１〜５のいずれか１項に記載の吊下げ装置。
【請求項７】
前記側板、および前記ダイヤフラム板は、規則的に配列されたセルが形成された紙製のコア材を、紙製のシートが挟持した構造であることを特徴とする請求項６に記載の吊下げ装置。
【発明の詳細な説明】
【技術分野】
【０００１】
本発明は、収納家具を吊下げる吊下げ装置に関する。なお、本発明の吊下げ装置は、天井に設けられている。
【背景技術】
【０００２】
地震に起因する家具の振動、移動、転倒の防止を目的として様々な対策が講じられている。対策の一つとして家具を吊下げ支持することが提案されている。
【０００３】
特許文献１では、什器または機器類は構造物または構造物に固定された部材から吊り部材によって吊り下げ支持され、吊り部材の長さは調整されて、什器または機器類の固有周期が地震動の卓越周期帯域から外れるように、吊り下げ支点から什器または機器類の重心間の長さが設定されている発明が提案されている。
【０００４】
特許文献２では、地震発生時に家具を吊持することにより家具の重心バランスをとりつつ、震動の大きさに応じた家具の段階的な傾斜を可能とし、家具の前倒防止を図れる転倒防止装置が提案されている。壁面または天井に設けられた滑車を支点として、家具の天面に配置された第１点と第２点とで家具を吊持する吊持部と、床に配置された下架台部と、家具の底面に配置され、下架台部上を傾斜しながら前方向に摺動する上架台部と、を備え、上架台部は後方向への揺り戻しを規制する第１の規制部を有し、下架台部は第１の規制部に係合する第１の規制面を前後方向に複数有し、吊持部は上架台部の傾斜に応じて、滑車から第１点までの距離と、滑車から第２点までの距離との比率を変化させる発明である。
【先行技術文献】
【特許文献】
【０００５】
【特許文献１】特開２０１０−１８３９９３号公報
【特許文献２】特開２０１８−１１７９９６号公報
【発明の概要】
【発明が解決しようとする課題】
【０００６】
しかし、特許文献１で提案されている発明は、吊り下げ支点から什器または機器類の重心間の長さを什器または機器類の固有周期が地震動の卓越周期帯域から外れるように設定する必要があることから、吊下げる什器の重量、吊下げ位置に一定の制約が課される。特許文献２で提案されている発明は、天井と床面の双方で家具を支持する必要があることから、吊下げる家具の高さを自由に設定することはできない。
【０００７】
本発明は、これらの問題点に着目してなされたものであり、収容家具の吊下げ位置、吊下げ高さの制約を受けず、さらに地震時において、家具の変位を抑制できる吊下げ装置を提供するものである。
【課題を解決するための手段】
【０００８】
上記課題を解決するための発明は、天井に装着されて、収納家具を吊下げる吊下げ装置であって、収納家具を防振するための防振部と、防振部に固定された状態で収納家具を着脱可能に連結する連結部を有する吊下げ部材を備えることを特徴とする。
【０００９】
この構成によれば、吊下げ位置、吊下げ高さの制約を受けず収納家具を吊下げることができる。また、防振部を有するので、地震に起因する収納家具の変位を抑制できる。
【００１０】
ここでいう収納家具とは、家財道具や服飾品、食品などを整理して収納するための家具であって、具体的には、衣類や小物を保管するために用いる箪笥類や、本棚、戸棚、食器棚、下駄箱などである。
【００１１】
好ましくは、連結部は、収納家具に固定される連結ロッドを介して収納家具と着脱可能に連結することを特徴とする。
【００１２】
この構成によれば、連結部は、収納家具に固定される連結ロッドを介して収納家具と着脱可能に連結するので、既存の収納家具に連結ロッドを固定することで、既存の収納家具を天井から吊下げることができる。
【００１３】
好ましくは、天井は、支持部材と、支持部材に吊下げられた天井板を有し、防振部は支持部材に固定され、連結部は、天井板から突出した状態で、防振部と接続することを特徴とする。
【００１４】
この構成によれば、防振部は天井板とともに支持部材に固定されて、連結部は、天井板から突出した状態で、防振部と接続するので、連結部の振動によって天井板が損傷を受ける事象を回避できる。
【００１５】
好ましくは、吊下げ部材は、所定の間隔で、かつ平行に縦横に延びる複数の仮想直線の交点の位置に配置されることを特徴とする。
【００１６】
この構成によれば、吊下げ部材は、所定の間隔で、かつ平行に縦横に延びる複数の仮想直線の交点の位置に配置される、すなわち格子の交点の位置に一定の間隔で規則的に配置されるので、吊下げ部材の取付範囲、取付の間隔を適宜設定することで、複数の収納家具が取付できて、しかも、取付位置も制約を受けることはない。
【００１７】
好ましくは、天井は、所定の間隔で平行に配置される複数のハンガーレールを有し、吊下げ部材は、ハンガーレールに沿ってスライド可能に連結することを特徴とする。
【００１８】
この構成によれば、ハンガーレールの延びる方向に沿って任意の位置に、簡単に収納家具を配置できる。
【００１９】
好ましくは、収納家具は、変位拘束部材を介して連結部と着脱可能に連結し、変位拘束部材は、環状に設けられた側板と、側板に外縁端が接触するダイヤフラム板を有し、側板と、ダイヤフラム板は協働して収納家具の側方変位及び回転変位を拘束することを特徴とする。
【００２０】
この構成によれば、収納家具は、変位拘束部材を介して連結部と着脱可能に連結するので、変位拘束部材の高さを適切に選定することによって、収納家具の取付高さを自由に設定できる。また、側板と、ダイヤフラム板は協働して収納家具の側方変位及び回転変位を拘束するので、地震に起因する、また通常時における収納家具の変位を抑制できる。
【００２１】
好ましくは、側板、およびダイヤフラム板は、規則的に配列されたセル層が形成された紙製のコア材を、紙製のシートが挟持した構造であることを特徴とする。
【００２２】
この構成によれば、側板、およびダイヤフラム板は、規則的に配列されたセル層が形成された紙製のコア材を、紙製のシートが挟持した構造であるので、所定の強度を確保した上で、変位拘束部材の軽量化を図ることができる。
【図面の簡単な説明】
【００２３】
【図１】実施形態１における吊下げ部材の配置を説明する斜視図である。
【図２】（ａ）は、実施形態１における吊下げ部材の正面図である。（ｂ）は、同、側面図である。
【図３】（ａ）は、実施形態１において、キャビネットが吊下げられているときの正面図である。（ｂ）は、実施形態１において、変位拘束部材を介してキャビネットが吊下げられているときの正面図である。
【図４】キャビネットの斜視図である。
【図５】変位拘束部材の分解斜視図である。
【図６】実施形態２における天井の斜視図である。
【図７】実施形態２における吊下げ部材の正面図である。
【図８】側板およびダイヤフラム板の構造を説明する部分斜視図である。
【発明を実施するための形態】
【００２４】
以下、図１〜５を参照して、本発明の実施形態１を詳述する。
【００２５】
図１に示す通り、吊下げ装置１は複数個の吊下げ部材１０を有している。天井１００に装着された吊下げ部材１０は、仮想直線Ｈ１と仮想直線Ｖ１の交点の位置に設けられている。仮想直線Ｈ１は壁面１５１と平行かつ等間隔な複数の天井１００に描かれた仮想直線で構成され、仮想直線Ｖ１は壁面１５０と平行かつ等間隔な複数の天井１００に描かれた仮想直線で構成されている。また、仮想直線Ｈ１と、仮想直線Ｖ１は直交している。
【００２６】
図２（ａ）、（ｂ）に示す通り、天井１００は、天井板１２０が天井吊材１３０を介して天井梁１１０（支持部材）に支持されている構造である。吊下げ部材１０は、一端が天井梁１１０に固定されて、他端が天井板１２０から床１６０の方向に向かって突出している。
【００２７】
以下、吊下げ部材１０について詳述する。
【００２８】
吊下げ部材１０は、上端部に固定金具１２が装着されている。固定金具１２の側面１２ａは、４本のビス１５によって天井梁１１０に固定されている。固定金具１２の底面１２ｂは、天井板１２０の方向に向かって延びる調整ロッド１３が固定されている。調整ロッド１３には雄ネジ１３ａが切られている。側面１２ａと底面１２ｂは、ブラケット１２ｃを介して相互に固定されている。
【００２９】
収容筐体２１の上端部は、雄ネジ１３ａに螺合する調整ナット２２が装着されている。調整ナット２２を回動することで、収容筐体２１は、雄ネジ１３ａに沿って転動しながら上下方向に移動する。これにより、収容筐体２１の取付高さを調整できる。収容筐体２１の下端部は、円筒形状の防振ゴム２０（防振部）が収容されている。
【００３０】
収容筐体２１の一部と連結部３０は、天井板１２０から突設して設けられている。連結部３０は雌ネジ３０ａが切られた略円筒形の部材であり、接続金具３１を介して防振ゴム２０に固定されている。
【００３１】
接続金具３１の上端部は、防振ゴム２０の上端部に固定されるとともに、中間部は防振ゴム２０に摺動可能に固定されている。具体的には、円筒形状の防振ゴム２０の空洞部分に接続金具３１の中間部が摺動可能に挿入されている状態である。また、接続金具３１の下端部は連結部３０と連結している。これにより、防振ゴム２０の伸縮に伴って、連結部３０は上下方向に移動する。
【００３２】
図３（ａ）に示す通り、キャビネット５０は、四隅から上方に向かって突設する連結ロッド５２が固定されている。連結ロッド５２の先端部は、連結ネジ５１が軸支されている。連結部３０と、連結ネジ５１を螺合して連結することで、キャビネット５０は、連結ロッド５２を介して連結部３０に連結する。また、図３（ｂ）に示す通り、キャビネット５０と吊下げ部材１０との間に変位拘束部材６０を介在させてもよい。変位拘束部材６０を介在させることで、キャビネット５０の取付高さを調整できるので、収納物を希望する高さに収納できる。キャビネット５０の取付高さは、真下を歩行しても頭に接触せず、かつ収容物を取り出しやすい高さとすることが好ましい。
【００３３】
図４に示す通り、キャビネット５０は、棚５５が適宜設けられるとともに、観音開きの扉５４が設けられている。また、四隅から上方に向かって突設する連結ロッド５２が固定されている。連結ロッド５２の先端部は、連結ネジ５１を軸支している。連結ネジ５１は、雌ネジ３０ａに螺合する雄ネジ５１ａが切られている。連結ネジ５１を回動することで、雄ネジ５１ａと、雌ネジ３０ａは螺合する。これにより、キャビネット５０は、吊下げ部材１０を介して天井１００に固定される。
【００３４】
図５に示す通り、変位拘束部材６０は、梯子形状の一対のフレーム６１、６１と、側板６２と、２枚のダイヤフラム板６３で構成されている。フレーム６１は、円筒形の棒部材を梯子状に組立て、上端に、連結ネジ５１と同様の構造である連結ネジ６４を軸支し、また、下端に、連結部３０と同様の構造である連結部６５を固定した構成となっている。
【００３５】
環状に設けられた側板６２は、４個の平板６２ａ、６２ｂ、６２ｃ、６２ｄで構成され、それぞれがフレーム６１に着脱可能に連結されている。
【００３６】
２枚のダイヤフラム板６３は、４個の平板６２ａ、６２ｂ、６２ｃ、６２ｄの上縁端、または下縁端に当接する状態で、フレーム６１に着脱可能に連結されている。
【００３７】
側板６２、およびダイヤフラム板６３は、紙製のサンドイッチパネル構造であることが好ましい。具体的には、図８に示す通り、規則的に配列されたハニカム形状のセル７１ａが形成された紙製のコア材７１を、紙製のシート７２が挟持した構造である。これにより、所定の強度を確保した上で、側板６２、ダイヤフラム板６３の軽量化が図れるので、大きな労力を要することなく簡単に吊下げ部材１０と接続することができる。
【００３８】
ここで、変位拘束部材６０の取付手順について説明する。
【００３９】
平板６２ｂ、６２ｄを取り付けた一対のフレーム６１、６１を所定の間隔で吊下げ部材１０に取り付ける。取付は、連結部３０に切られた雌ネジ３０ａと、フレーム６１の上端に軸支される連結ネジ６４に切られた雄ネジ６４ａを螺合することで、フレーム６１と、吊下げ部材１０は連結する。ダイヤフラム板６３、平板６２ａ、６２ｃをフレーム６１に順次取付けることで、変位拘束部材６０は、吊下げ部材１０を介して天井１００に固定される。
【００４０】
本実施形態１では、ダイヤフラム板６３を２枚取り付けたが、１枚であってもよく、また３枚以上であってもよい。
【００４１】
キャビネット５０を天井１００から吊下げるときは、ワイヤーを用いるのが一般的である。しかし、吊下げられたキャビネット５０は、常時揺れることから、揺れを抑制するためにワイヤーを斜めに張り渡す必要がある。この場合、ワイヤーを斜めに張り渡す空間を確保する必要があることから、キャビネット５０の吊下げ位置はワイヤーを斜めに張り渡す空間を確保できる位置に限定される。
【００４２】
一方で、本実施形態１のように変位拘束部材６０を介してキャビネット５０を天井１００に吊下げたときは、変位拘束部材６０によってキャビネット５０の側方変位が拘束されるので、吊下げ部材１０が配置される位置であればいずれの場所でも吊下げできる。すなわち、天井１００の全面に渡って規則的に吊下げ部材１０を配置することでキャビネット５０は、吊下げ位置の制約を受けることはない。
【００４３】
また、ワイヤーを斜めに張り渡してキャビネット５０を吊下げた状態では、地震が発生した場合、地震の横揺れによって、それぞれのワイヤーの張力差が大きくなる。そのため、キャビネット５０は大きく横揺れする。
【００４４】
一方で、変位拘束部材６０を介してキャビネット５０を天井１００に吊下げたときは、地震力によって変位拘束部材６０は変形し、これに伴ってキャビネット５０は変形しようとする。しかし、地震力が発生したとき、側板６２、ダイヤフラム板６３のそれぞれは、斜めに変形することで、協働して地震力に抗する。側板６２、ダイヤフラム板６３のような平板は大きなせん断剛性を具備していることから変位拘束部材６０の側方への変形は軽微となる。また、縦揺れに対しては、防振ゴム２０で衝撃が緩和されて大きな揺れを生じることはない。
【００４５】
本実施形態１では、複数のキャビネット５０を直接、または変位拘束部材６０を介して吊下げ部材１０に吊下げることができる。また、壁に沿って吊下げてもよいし、室内の中央に吊下げてもよい。すなわち、吊下げるキャビネット５０の個数、大きさ、位置、および吊下げ方法を適宜適切に選定することで、利便性にすぐれた天井収納システムを構築できる。
【００４６】
収納家具を床に設置した状態で部屋を掃除する場合は、収納家具と床との隙間は収納家具が取り付けられた脚部が支障になり、掃除が行き届かない領域が生じることがある。しかし、本実施形態１で例示したキャビネット５０を用いて天井収納システムを構築する場合は、キャビネット５０と床との間に所定の隙間を設けることができるので、掃除ロボットによって、部屋全体を余すことなく清掃できる。
【００４７】
また、床に直置きすると室内の移動に障害となるもの、例えば雑誌、新聞、書類、趣味で使用する道具類などは、すべて天井収納システムに収容できることから、小さな子供がいる家庭では、子供を、室内で安全に遊ばせることができる。
【００４８】
実施形態２について、図６、７を参照して説明する。実施形態１と実施形態２は、ほぼ同じ構成となる部分が多いことから、主に相違する構成について説明する。実施形態１と同一の構成については、同様の符号を付し、異なる構成については２００番台の符号を付す。
【００４９】
吊下げ装置２０１は、吊下げ部材２１０およびハンガーレール２７０を有している。図６に示す通り、５本のハンガーレール２７０は一定の間隔を保って壁面１５１に平行な状態で、天井１００に装着されている。ハンガーレール２７０の本数、およびハンガーレール２７０間の間隔、および位置は、吊下げる収納家具を勘案して適宜定めればよい。
【００５０】
図７に示す通り、ハンガーレール２７０の内部空間を転動するローラー２７１が吊下げロッド２１３に軸支されている。これにより、吊下げ部材２１０は、ハンガーレール２７０が伸びる方向に移動できる。
【００５１】
吊下げロッド２１３には雄ネジ２１３ａが切られている。収容筐体２１の上端部は、雄ネジ２１３ａに螺合する調整ナット２２を有している。調整ナット２２を回動することで、収容筐体２１は、雄ネジ２１３ａに沿って転動しながら上下方向に移動する。収容筐体２１をハンガーレール２７０に向かって上方に移動させることで、収容筐体２１とハンガーレール２７０は圧縮力が負荷された状態で接触する。このときに生じる摩擦力によって、ローラー２７１にブレーキがかかった状態となり、転動は制限される。これにより吊下げ部材２１０の移動は制限される。また、調整ナット２２を回動して収容筐体２１とハンガーレール２７０の接触状態を解放することで、ローラー２７１はハンガーレール２７０に沿って転動でき、ローラー２７１はハンガーレール２７０に沿って移動できる。
【００５２】
本実施形態は例示であり、本発明の技術的思想を逸脱しない範囲で改変できることは勿論である。例えば、キャビネット５０を、変位拘束部材と同様の素材を用いて、組立分解できる構造としてもよい。
【産業上の利用可能性】
【００５３】
本発明の吊下げ装置は、歩行に支障となる障害物を床に置く必要がなくなることから、足の不自由な方々、例えば車椅子での移動を余儀なくされる方々の移動の負担を軽減できる。また、空間の効率的な活用が可能となり、特に賃貸アパートに適用することで他の賃貸アパートとの差別化を図ることができることから、産業上の利用可能性は大である。
【符号の説明】
【００５４】
１、２０１：吊下げ装置
１０、２１０：吊下げ部材
２０：防振ゴム（防振部）
３０：連結部
５０：キャビネット（収納家具）
５２：連結ロッド
６０：変位拘束部材
６１：フレーム
６２：側板
６３：ダイヤフラム板
７１：コア材
７１ａ：セル
７２：シート
２７０：ハンガーレール
１００：天井
１１０：天井梁（支持部材）
【要約】
【課題】収容家具の吊下げ位置、吊下げ高さの制約を受けず、さらに地震時において、家具の変位を抑制できる吊下げ装置を提供する。
【解決手段】天井１００に装着された吊下げ部材１０は、仮想直線Ｈ１と仮想直線Ｖ１の交点の位置に設けられている。吊下げ部材１０は、固定金具１２によって天井梁１１０に固定されている。また、収容筐体２１の一部と連結部３０は、天井板１２０から突設して設けられている。収容筐体２１の下端部は、円筒形状の防振ゴム２０（防振部）が収容されている。接続金具３１の上端部は、防振ゴム２０の上端部に固定されるとともに、中間部は防振ゴム２０に摺動可能に固定されている。防振ゴム２０は、接続金具３１を介して連結部３０と連結している。連結部３０には、収納家具５０、変位拘束部材６０と連結するための雌ネジ３０ａが切られている
【選択図】  図２【図１】
0006917667.tif 000002
【図２】
0006917667.tif 000003
【図３】
0006917667.tif 000004
【図４】
0006917667.tif 000005
【図５】
0006917667.tif 000006
【図６】
0006917667.tif 000007
【図７】
0006917667.tif 000008
【図８】
0006917667.tif 000009